(57)【要約】【課題】揺動テーブルの上面を流れる鉱石スラリーと添加水との流量の偏りを抑制して、揺動テーブルの上面の全面に流れを形成させる。【解決手段】給水部２３から上面２１ａに供給された水をテーブル比重選鉱機１のテーブル２に供給する樋本体２０と、樋本体２０の下面２１ｂに取り付けられ、樋本体２０の上面２１ａから流れ落ちてテーブル比重選鉱機１のテーブル２に供給される水と当接して整流する整流部材３０とを備える。【選択図】図２
2016068073.tif 000002
【特許請求の範囲】
【請求項１】
テーブル比重選鉱機のテーブルに水を供給する給水樋において、
給水部から上面に供給された水を上記テーブル比重選鉱機のテーブルに供給する樋本体と、
上記樋本体の下面に取り付けられ、該樋本体の上面から流れ落ちて上記テーブル比重選鉱機のテーブルに供給される水と当接して整流する整流部材とを備えることを特徴とするテーブル比重選鉱機の給水樋。
【請求項２】
上記整流部材は、本体部に複数のスカート部が設けられた鋸状に形成されていることを特徴とする請求項１のテーブル比重選鉱機の給水樋。
【請求項３】
上記整流部材のスカート部の長さＬは、上記樋本体の下面と上記テーブルの上面との距離をＨとしたときに、０．３Ｈ≦Ｌ≦０．５Ｈであることを特徴とする請求項２のテーブル比重選鉱機の給水樋。
【請求項４】
上記整流部材のスカート部の幅は、上記整流部材のスカート部の長さをＬとしたとき、０．５Ｌであることを特徴とする請求項２のテーブル比重選鉱機の給水樋。
【請求項５】
上記樋本体には、上記給水部と反対側の端部に排水部が設けられていることを特徴とする請求項１のテーブル比重選鉱機の給水樋。
【請求項６】
上記樋本体には、任意の位置に給水の追加が可能な可動式の補助給水部が設けられていることを特徴とする請求項１のテーブル比重選鉱機の給水樋。
【請求項７】
上記樋本体の上面には、上記給水部から上面に供給された水を均等に分散させて該樋本体の上面から流れ落とす分散部材が設けられていることを特徴とする請求項１のテーブル比重選鉱機の給水樋。
【発明の詳細な説明】
【技術分野】
【０００１】
本発明は、鉱石から精鉱を得るために用いるテーブル比重選鉱機のテーブルに水を供給するテーブル比重選鉱機の給水樋に関する。
【背景技術】
【０００２】
鉱石から精鉱を得る選鉱方法は、従来から種々の方法が用いられている。例えば、金鉱石の選鉱方法としては、金鉱石を破砕した後に適当な粒度に微粉砕して、得られた鉱粒をシアン化物水溶液中に懸濁させて金を浸出するいわゆる青化法によって金を脈石鉱物や硫化鉱物から分離・濃縮する方法や、比重選鉱及び浮遊選鉱によって金鉱物を脈石鉱物や硫化鉱物から分離・濃縮した後に、さらに青化法により金を分離・濃縮する方法が採られている。
【０００３】
これらの方法で用いられる青化法では、鉱粒のうち粗大なものに含まれる金は、そのすべてを溶解させることができず、金の回収が不十分となる問題がある。
【０００４】
そこで、比重選鉱だけで直接精製可能な高品位の金精鉱を回収する方法としては、テーブル比重選鉱（揺動薄流選鉱ともいう）が提案されている（例えば、特許文献１参照）。また、上記テーブル比重選鉱と画像処理技術とを組み合わせて、仕切り板の調整を自動化する技術が提案されている（例えば、特許文献２参照）。
【０００５】
図１２は、テーブル比重選鉱の原理を説明する図である。このような選鉱方法では、複数のリッフル１０３が配置された揺動テーブル１０２を揺動駆動機構１１１によってリッフル１０３の伸長方向に揺動させつつ、揺動テーブル１０２に、給鉱樋１０４によって、揺動テーブル１０２の幅方向から鉱石を粉砕した鉱粒に水を加えて製造した鉱石スラリーを供給し、給水樋１０５によって、図１２中の矢印１６０に示すように、揺動テーブル１０２の幅方向から添加水を供給する。
【０００６】
すると、揺動テーブル１０２に供給された鉱石スラリーのうち、脈石鉱物や硫化鉱物等の比重の小さな低比重鉱粒は、揺動テーブル１０２の揺動運動とは無関係に、給水樋１０５からの添加水によってリッフル１０３を乗り越えて、図１２中の矢印１５０ａ，１５０ｂ，１５０ｃに示すように、揺動テーブル１０２の前側面１０２ｃ側に流れ落ちて、尾鉱として第１の尾鉱回収貯槽１０８に回収される。
【０００７】
その一方で、比重の大きな高比重鉱粒は、揺動テーブル１０２の揺動運動に伴って、リッフル１０３の伸長方向に沿って移動し、リッフル１０３からリッフル１０３が配置されていない平坦部１１２に流れ出る。鉱粒は、同じ比重であっても、粒径の大きなものは粒径の小さなものよりも給水樋１０５からの添加水等によって添加水の水流方向（揺動テーブル１０２の幅方向）に移動する傾向が強い。したがって、平坦部１１２には、高比重で粒径の小さな金品位の高い鉱粒の流れ１４０ａと、高比重で粒径の大きな鉱粒の流れ１４０ｂとが形成される。そして、仕切り板１０７によって、高比重で粒径の小さな金品位の高い鉱粒の流れ１４０ａと高比重で粒径の大きな鉱粒の流れ１４０ｂとが分離され、高比重で粒径の小さな金品位の高い鉱粒は、精鉱として精鉱回収貯槽１１０に回収され、高比重で粒径の大きな鉱粒は、尾鉱として第２の尾鉱回収貯槽１０９に回収される。なお、金品位の高い鉱粒の流れの部分を金線という。
【０００８】
このような方法によって得られた金精鉱は、直接熔錬し、鋳造され、純度が９０％以上のインゴットの製品（ドーレとも言う場合がある）として、生産される。
【先行技術文献】
【特許文献】
【０００９】
【特許文献１】米国特許第６８１８０４２号公報
【特許文献２】特開２０１２−１３９６７５号公報
【発明の概要】
【発明が解決しようとする課題】
【００１０】
ところで、揺動テーブル上の鉱石スラリーと添加水との流れは、一般的に偏りを少なくすることが重要である。このため、特許文献１，２では、供給水の流量をはじめ、揺動テーブルの角度等の条件を調整している。
【００１１】
しかしながら、金鉱石の鉱粒の場合には、鉱石種類によって流れの偏りが大きく、揺動テーブル１０２上で流れがある場所と流れがない場所とができることがある。このため、金鉱石の鉱粒の場合には、金線が分断されたり、金線の形成が阻害されたりすることがあり、選鉱操業の効率が悪化することがある。
【００１２】
詳しくは、金鉱石を適当な粒度（１００〜５００μｍ）に微粉砕して得られた鉱粒を、固形分が２０〜４０重量％程度の鉱石スラリーとして供給し、更に給水樋１０５から添加水を供給しても、揺動テーブル１０２上の全面を均等に流れず、鉱石スラリーの流れが偏ってしまう場合がある。このような場合には、揺動テーブル１０２上に形成したリッフル１０３の効果や、リッフル１０３が配置されていない平坦部１１２の効果が充分に得られなくなって、結果として金鉱石の選鉱の効率が悪化してしまうことがある。
【００１３】
そこで、このような場合には、給水樋１０５からの供給量を増減することによって、鉱石スラリーの流れの偏りが解消される供給量に調整するのだが、給水樋１０５から流出する水量そのものが、流出する位置によって偏ってしまうことがあり、かえって、揺動テーブル１０２上の鉱石スラリーの流れの偏りの修正が困難になってしまうという問題がある。
【００１４】
本発明は、以上のような問題点に鑑みてなされたものであり、テーブル比重選鉱機の給水樋において、給水樋に供給する水の量を変化させても、給水樋から流出する水の量が、給水樋から流出する位置によって偏ることを抑制し、選鉱操業中に、揺動テーブル上の鉱石スラリーと添加水との流量の偏りを抑制することによって、少なくとも揺動テーブル上で全面に流れを形成させることが可能なテーブル比重選鉱機の給水樋を提供することを目的とする。
【課題を解決するための手段】
【００１５】
本発明に係るテーブル比重選鉱機の給水樋は、テーブル比重選鉱機のテーブルに水を供給する給水樋において、給水部から上面に供給された水を上記テーブル比重選鉱機のテーブルに供給する樋本体と、上記樋本体の下面に取り付けられ、該樋本体の上面から流れ落ちて上記テーブル比重選鉱機のテーブルに供給される水と当接して整流する整流部材とを備えることを特徴とする。
【発明の効果】
【００１６】
本発明のテーブル比重選鉱機の給水樋によれば、樋本体の下面に取り付けられた整流部材が樋本体の上面から流れ落ちてテーブル比重選鉱機のテーブルに供給される水と当接することで、水が略均等に拡散されて場所ごとの流量が平均化されるので、供給される水の量が変化しても、給水樋から流出する水の量が流出する位置によって偏ることを抑制し、選鉱操業中に、テーブル上のスラリーと添加水との流量の偏りを抑制することができ、テーブル上の全面に流れを形成させることができる。
【図面の簡単な説明】
【００１７】
【図１】テーブル比重選鉱機を示した斜視図である。
【図２】テーブル比重選鉱機を示した平面図である。
【図３】給水樋を示した斜視図である。
【図４】給水樋を示した平面図である。
【図５】給水樋を示した底面図である。
【図６】給水樋を示した正面図である。
【図７】給水樋を示した背面図である。
【図８】給水樋を示した左側面図である。
【図９】給水樋を示した右側面である。
【図１０】テーブル比重選鉱機を示した側面断面図である。
【図１１】整流部材を示した平面図である。
【図１２】従来のテーブル比重選鉱機を示した平面図である。
【発明を実施するための形態】
【００１８】
以下、本発明を適用したテーブル比重選鉱機の給水樋について、図面を参照しながら詳細に説明する。なお、本発明は、以下の例に限定されるものではなく、本発明の要旨を逸脱しない範囲で任意に変更可能である。
【００１９】
図１及び図２に示すように、テーブル比重選鉱機１は、リッフル３を有する揺動テーブル２と、揺動テーブル２の上面２ａに鉱石スラリーを供給する給鉱樋４と、揺動テーブル２の上面２ａに添加水を供給する給水樋５と、給鉱樋４及び給水樋５から供給された鉱石スラリー及び添加水が揺動テーブル２の上面２ａから流れ落ちるのを堰き止める堰６と、金精鉱と尾鉱とを仕切る仕切り板７と、尾鉱を回収する第１及び第２の尾鉱回収貯槽８，９と、金精鉱を回収する精鉱回収貯槽１０とを備えている。
【００２０】
図１及び図２に示すように、揺動テーブル２は、例えば、平面視平行四辺形状の木製の板部材又は金属製の板部材上に木製の板部材が積層された板部材等で構成されている。一例としては、揺動テーブル２は、右側面２ｅと左側面２ｆ間の長さ方向の長さが９９．８インチで、前側面２ｃと後側面２ｄ間の長さ方向と直交する幅方向の長さが５２．５インチで、上面２ａと下面２ｂ間の厚さ方向の長さが４インチで、前側面２ｃと左側面２ｆとのなす角が７０．５度の平面視平行四辺形状の板部材で構成されている。なお、上述した揺動テーブル２の各長さ及び角度等は一例であって、これに限定されるものではなく、適宜変更可能である。
【００２１】
また、図１及び図２に示すように、揺動テーブル２の上面２ａには、上方に突出したリッフル３が複数個配置されている。このリッフル３は、例えば、揺動テーブル２の上面２ａの左後角部及び後側面２ｄ側を除いた揺動テーブル２の上面２ａの全体に配置されている。更に、リッフル３は、揺動テーブル２の上面２ａに、揺動テーブル２の長さ方向（幅方向）と所定の角度をなして配置されている。なお、リッフル３については追って詳細に説明する。
【００２２】
また、図１及び図２に示すように、揺動テーブル２は、例えば、支持台（不図示）の上にレール等の揺動支持機構（不図示）を介して揺動可能に支持され、揺動駆動機構１１によってリッフル３の伸長方向に揺動される。更に、揺動テーブル２は、後側面２ｄ側が前側面２ｃ側よりも上方に配置されて、上面２ａが勾配（傾斜）を有するように設けられている。一例としては、揺動テーブル２の上面２ａは、水平に対して６度の勾配（傾斜）を有するように設けられている。なお、上述した揺動テーブル２の角度等は一例であって、これに限定されるものではなく、適宜変更可能である。
【００２３】
また、図１及び図２に示すように、揺動テーブル２の上面２ａの後側面２ｄ側の右側面２ｅ側には、給鉱樋４が設けられている。この給鉱樋４は、例えば、堰６に取り付けられ、金鉱石を粉砕して鉱粒として水を加えて製造した鉱石スラリーを揺動テーブル２の上面２ａに連続的に供給する。この給鉱樋４から供給される鉱石スラリーは、揺動テーブル２の上面２ａの勾配（傾斜）に応じて、さらに、鉱石スラリー中の鉱粒の比重と粒径とに応じて、図２中の矢印５０ａ，５０ｂ，５０ｃに示すように、揺動テーブル２の上面２ａの右後角部から、前側面２ｃや上面２ａの左前角部や左側面２ｆ等に向けて流れる。
【００２４】
また、図１及び図２に示すように、揺動テーブル２の上面２ａの後側面２ｄ側の左側面２ｆ側には、給水樋５が設けられている。この給水樋５は、例えば、給鉱樋４の左側面２ｆ側に隣接して堰６に取り付けられ、揺動テーブル２の上面２ａに添加水を連続的に供給する。この給水樋５から供給される添加水は、揺動テーブル２の上面２ａの勾配（傾斜）に応じて、図２中の矢印６０に示すように、揺動テーブル２の後側面２ｄ側から前側面２ｃ側（揺動テーブル２の幅方向）に向けて流れる。なお、給水樋５については追って詳細に説明する。
【００２５】
なお、給鉱樋４と給水樋５とは、一体に設けられて樋部材を構成するようにしても良い。また、給鉱樋４及び給水樋５は、堰６に取り付けられることに限定されるものではなく、揺動テーブル２に取り付けられるようにしても良く、テーブル比重選鉱機１のその他の構成部材に取り付けられるようにしても良い。
【００２６】
また、図１及び図２に示すように、揺動テーブル２の後側面２ｄ、右側面２ｅ及び前側面２ｃの右側面２ｅ側の一部には、壁状の堰６が設けられている。この堰６は、上端部が揺動テーブル２の上面２ａから上方に突出するように、揺動テーブル２の各側面２ｄ，２ｅ，２ｃに取り付けられている。一例としては、厚さが１インチで、揺動テーブル２の上面２ａと下面２ｂ間の厚さ方向の長さが９インチで、揺動テーブル２の上面２ａから５インチ突出するように、揺動テーブル２の各側面２ｄ，２ｅ，２ｃに取り付けられている。これにより、堰６は、給鉱樋４から揺動テーブル２の上面２ａに供給された鉱石スラリー及び給水樋５から揺動テーブル２の上面２ａに供給された添加水が揺動テーブル２の後側面２ｄ及び右側面２ｅから流れ落ちることを防止する。なお、上述した堰６の厚さ、長さ及び突出量等は一例であって、これに限定されるものではなく、適宜変更可能である。
【００２７】
リッフル３は、図１及び図２に示すように、例えば、揺動テーブル２の上面２ａの左後角部及び後側面２ｄ側を除いた揺動テーブル２の上面２ａの全体に複数個配置されている。更に、リッフル３は、揺動テーブル２の上面２ａに、揺動テーブル２の長さ方向（幅方向）と所定の角度をなして配置されている。
【００２８】
リッフル３は、例えば長尺部材で構成されている。更に、リッフル３は、揺動テーブル２の上面２ａに、揺動テーブル２の長さ方向（前側面２ｃ）に対して所定の角度傾けて、等間隔に複数個配置されている。一例としては、リッフル３は、厚さが０．３インチで、揺動テーブル２の上面２ａと下面２ｂ間の厚さ方向の長さが１インチの長尺部材で構成されている。更に、リッフル３は、揺動テーブル２の長さ方向（前側面２ｃ）に対して揺動テーブル２の後側面２ｄ側に１９．５度傾けて、別の言い方をすると、揺動テーブル２の右側面２ｅ（左側面２ｆ）に対して９０度傾けて、等間隔に６０個、揺動テーブル２の上面２ａに配置されている。なお、上述したリッフル３の厚さ、長さ、角度及び個数等は一例であって、これに限定されるものではなく、適宜変更可能である。
【００２９】
また、リッフル３は、上流リッフル３ａ１と、中流リッフル３ａ２と、下流リッフル３ａ３とで構成され、揺動テーブル２の後側面２ｄ側から前側面２ｃ側に向けて、上流リッフル３ａ１、中流リッフル３ａ２、下流リッフル３ａ３の順に揺動テーブル２の上面２ａに配置されている。これら上流リッフル３ａ１、中流リッフル３ａ２及び下流リッフル３ａ３は、それぞれ複数個のリッフルで構成されている。
【００３０】
上流リッフル３ａ１は、揺動テーブル２の後側面２ｄ側から前側面２ｃ側に向けて、長さが漸増していくように設けられている。一例としては、上流リッフル３ａ１は、左側面２ｆ側の先端部を結んだ線Ｌ１が揺動テーブル２の長さ方向に対して後側面２ｄ側に３７．４度の角度をなすように、別の言い方をすると、揺動テーブル２の幅方向に対して右側面２ｅ側に５２．６度の角度をなすように設けられている。更に、別の言い方をすると、上流リッフル３ａ１は、先端部を結んだ線Ｌ１と中流リッフル３ａ２の伸長方向とのなす角が１２３．１度となるように設けられている。
【００３１】
中流リッフル３ａ２は、上流リッフル３ａ１よりも伸長方向に長く設けられている。更に、中流リッフル３ａ２は、上流リッフル３ａ１と同様に、揺動テーブル２の後側面２ｄ側から前側面２ｃ側に向けて、長さが漸増していくように設けられている。一例としては、中流リッフル３ａ２は、上流リッフル３ａ１と同様に、左側面２ｆ側の先端部を結んだ線Ｌ２が揺動テーブル２の長さ方向に対して後側面２ｄ側に３７．４度の角度をなすように、別の言い方をすると、揺動テーブル２の幅方向に対して右側面２ｅ側に５２．６度の角度をなすように設けられている。更に、別の言い方をすると、中流リッフル３ａ２は、先端部を結んだ線Ｌ２と下流リッフル３ａ３の伸長方向とのなす角が１２３．１度となるように設けられている。すなわち、中流リッフル３ａ２の先端部を結んだ線Ｌ２は、上流リッフル３ａ１の先端部を結んだ線Ｌ１と平行となるように設けられている。
【００３２】
下流リッフル３ａ３は、揺動テーブル２の上面２ａから左側面２ｆに亘って配置されている。
【００３３】
なお、上述した上流リッフル３ａ１及び中流リッフル３ａ２の先端部を結んだ線Ｌ１，Ｌ２の角度は一例であって、これに限定されるものではなく、適宜変更可能である。更に、上流リッフル３ａ１及び中流リッフル３ａ２の先端部を結んだ線Ｌ１，Ｌ２の角度は同じであることに限定されるものではなく、異なるように設けても良い。
【００３４】
また、揺動テーブル２の上面２ａには、左後角部に、リッフル３が配置されていない平坦部１２が設けられている。この平坦部１２は、平面視略三角形状に形成されている。そして、この平坦部１２には、図２に示すように、リッフル３によって添加水と共に供給された金鉱石からなる鉱粒が比重により選鉱されると、金線４０ａが発生する。一例としては、金線４０ａは、リッフル３の中流リッフル３ａ２の最も後側面２ｄ側（最上段）のリッフルの左側面２ｆ側の先端部から揺動テーブル２の平坦部１２に発生して、揺動テーブル２の左側面２ｆに向けて流れる。
【００３５】
このようなリッフル３は、例えば、次のようにして揺動テーブル２の上面２ａに配置される。揺動テーブル２よりもやや大きなゴムシートや樹脂シートの本体シートに、上述したリッフル３に対応するように形成されたゴム製や樹脂製の長尺部材を貼り付けて、このリッフル３が取り付けられた本体シートを木製の揺動テーブル２の上面２ａに配置してステープル等で取り付けることで、リッフル３は、揺動テーブル２の上面２ａに配置される。一例としては、本体シート及び長尺部材、すなわち、リッフル３は、リノリウムで形成される。
【００３６】
なお、リッフル３は、リノリウムで形成されることに限定されるものではなく、従来公知のその他のゴム材料や樹脂材料や金属材料等で形成されるようにしても良い。更に、リッフル３は、長尺部材が取り付けられた本体シートが揺動テーブル２の上面２ａに取り付けられることで、揺動テーブル２の上面２ａに配置されることに限定されるものではなく、揺動テーブル２の上面２ａに直接的に取り付けて配置されるようにしても良い。更に、揺動テーブル２は、木製であることに限定されるものではなく、金属製や樹脂製であっても良い。
【００３７】
給水樋５は、図３〜図１０に示すように、樋本体２０と、樋本体２０に取り付けられ、樋本体２０から流れ落ちて揺動テーブル２に供給される水と当接して整流する整流部材３０とを備えている。
【００３８】
樋本体２０は、図３〜図１０に示すように、底面部２１とこの底面部２１の幅方向の一端に底面部２１に直交して設けられた前面部２２とを有し、幅方向と直交する長さ方向に長尺なＬ字状の木製の長尺部材で構成されている。この樋本体２０は、図１０に示すように、堰６にボルト等の取付部材５ａによって取り付けられている。この際、樋本体２０は、前面部２２を揺動テーブル２の前側面２ｃ側に向けて、堰６から所定距離離間させつつ堰６と略平行に配置されると共に、揺動テーブル２の上面２ａからも所定距離離間させて配置されている。一例としては、樋本体２０は、底面部２１及び前面部２２の厚さが共に１インチに設けられ、全体として、揺動テーブル２の長さ方向の長さが４９．９インチで、揺動テーブル２の幅方向の長さが３．５インチで、揺動テーブル２の厚さ方向の長さ（高さ）が２．５インチのＬ字状の長尺部材で構成され、揺動テーブル２の上面２ａから２インチ離間させて配置されている。なお、上述した樋本体２０の厚さ及び各長さ等は一例であって、これに限定されるものではなく、適宜変更可能である。
【００３９】
なお、給水樋５は、ボルトによって堰６に取り付けられることに限定されるものではなく、ボルト以外の従来公知の取付部材によって堰６に取り付けられるようにしても良い。また、給水樋５は、揺動テーブル２に取り付けられるようにしても良く、テーブル比重選鉱機１のその他の構成部材に取り付けられるようにしても良い。
【００４０】
また、図３〜図１０に示すように、樋本体２０の底面部２１の上面２１ａには、長さ方向の一端に、底面部２１の上面２１ａに水を供給する給水部２３が設けられている。この給水部２３は、例えば木製の筒状部材で構成され、給水ホース２３ａが連結又は挿入されている。一例としては、給水部２３は、揺動テーブル２の長さ方向の長さが５．５インチで、揺動テーブル２の幅方向の長さが６．０インチで、揺動テーブル２の厚さ方向の長さが５．０インチの筒状部材で構成されている。なお、上述した給水部２３の各長さは一例であって、これに限定されるものではなく、適宜変更可能である。
【００４１】
また、給水部２３は、図３及び図１０に示すように、給水ホース２３ａから供給された水が開口部２３ｂから底面部２１の上面２１ａに流れ出すことで、底面部２１の上面２１ａに水を供給する。そして、給水部２３から底面部２１の上面２１ａに供給された水は、図３に示すように、底面部２１の上面２１ａを長さ方向の一端側から他端側に向けて流れ、図１０に示すように、底面部２１の幅方向の他端側（堰６側）から揺動テーブル２の上面２ａに流れ落ちる。
【００４２】
なお、給水部２３は、給水ホース２３ａだけで構成されて、給水ホース２３ａから直接的に底面部２１の上面２１ａに水を供給するようにしても良い。更に、給水部２３は、給水ホース２３ａを用いることが好ましいが、筒状部材を介して又は直接的に底面部２１の上面２１ａに水を供給することができるものであれば、従来公知の如何なる管であっても良い。
【００４３】
また、図３〜図１０に示すように、樋本体２０の底面部２１の上面２１ａには、給水部２３から底面部２１の上面２１ａに供給された水を分散させて堰６側から流れ落とす分散部材２４が設けられている。この分散部材２４は、例えば、平面視菱形や矩形のゴム製の板部材で構成されている。更に、分散部材２４は、底面部２１の上面２１ａに長さ方向の一端から他端に亘って、底面部２１の幅方向に対して所定の角度傾けて、等間隔に複数個設けられている。一例としては、分散部材２４は、長さが６．５インチで、幅が１．０インチで、厚さが１．３インチの板部材で構成されている。更に、分散部材２４は、底面部２１の上面２１ａに、給水部２３から長さ方向の他端側に３．０インチ離間した位置から、５．４インチの間隔で合計９個配置されている。なお、上述した分散部材２４の長さ、幅、厚さ、配置間隔及び配置個数等は一例であって、これに限定されるものではなく、適宜変更可能である。更に、分散部材２４は、底面部２１の上面２１ａにボルト等の締結部材によって着脱可能に取り付けられ、底面部２１の幅方向（長さ方向）に対する角度が調整可能に設けられている。したがって、分散部材２４は、角度を調整して分散部材２４，２４間を流れる水の量をそれぞれ調整することによって、給水部２３により底面部２１の上面２１ａの分散部材２４と前面部２２との間に流された水を、底面部２１の長さ方向の一端から他端に亘って均等に堰６側から流れ落ちるように分散させることができる。
【００４４】
また、図３〜図１０に示すように、樋本体２０の底面部２１の上面２１ａには、長さ方向の他端に、給水部２３から底面部２１の上面２１ａに供給された水を外部に排出する排水部２５が設けられている。この排水部２５は、底面部２１の長さ方向の他端に底面部２１に直交して設けられた左側面部２６に形成された排水口２６ａとこの排水口２６ａと連結された排水ホース２７とで構成されている。この排水部２５は、給水部２３から底面部２１の上面２１ａに供給された水が長さ方向の他端の左側面部２６まで流れてきた場合に、排水口２６ａを介して排水ホース２７から外部に水を速やかに排出する。
【００４５】
したがって、排水部２５は、底面部２１の上面２１ａを長さ方向の一端側から他端側に流れて左側面部２６にぶつかった水が左側面部２６を乗り越えて外部にあふれることを防止することができる。更に、排水部２５は、底面部２１の上面２１ａを流れる水が左側面部２６にぶつかって長さ方向の一端側に戻ることを防止することができる。更に、排水部２５は、水が左側面部２６にぶつかって長さ方向の一端側に戻った際に、長さ方向の他端側に流れてきた新たな水とぶつかって、水が堰６側から大量に流れ落ちることを防止することができ、さらに、水が前面部２２を乗り越えて外部にあふれることを防止することができる。
【００４６】
また、図３〜図１０に示すように、樋本体２０には、任意の位置に給水を追加することが可能な可動式の補助給水部２８が設けられている。この補助給水部２８は、例えば、底面部２１の長さ方向に摺動可能な図示しない摺動支持部材等に支持された補助給水ホース２８ａで構成されている。そして、補助給水部２８は、底面部２１の長さ方向の任意の位置に配置させて水を供給することができる。
【００４７】
したがって、補助給水部２８は、底面部２１の上面２１ａを流れる水の流量をより細かく調整することができるので、流れの偏りをより確実に低減することができ、底面部２１の上面２１ａを流れる水が堰６側からより均等に流れ落ちるようにすることができる。更に、補助給水部２８は、底面部２１の長さ方向の任意の位置に配置させて水を供給することができるので、意図的に、部分的に給水量を増加させることもできる。したがって、補助給水部２８は、例えば、様々な不具合によって揺動テーブル２の上面２ａに島状に滞留してしまった鉱粒に対して、意図的に、部分的に増加させた添加水を流して滞留を解消することができる。よって、補助給水部２８は、不具合解消のための時間と手間とを短縮することができ、稼働時間を増加させることができる。
【００４８】
以上のような構成を有する樋本体２０は、給水部２３によって、水が底面部２１の上面２１ａの前面部２２と分散部材２４との間を長さ方向の一端側から他端側に向けて流されると、分散部材２４によって、底面部２１の長さ方向の一端から他端に亘って流れ落ちる水量が略均等になるように分散させると共に堰６側に導いて、水を底面部２１の堰６側から揺動テーブル２に供給する。
【００４９】
整流部材３０は、図３〜図１１に示すように、樋本体２０の底面部２１の下面２１ｂに取り付けられて、樋本体２０の堰６側から揺動テーブル２に流れ落ちて供給される水と当接して整流するものである。具体的に、整流部材３０は、図５及び図１１に示すように、矩形状の本体部３１に三角形状のスカート部３２が複数個設けられて鋸状に形成されている。更に、整流部材３０は、ポリ塩化ビニル等の樹脂材料等で形成され、可撓性を有している。
【００５０】
また、整流部材３０は、図５に示すように、底面部２１の長さ方向と略同じ長さに設けられている。そして、整流部材３０は、底面部２１の下面２１ｂに本体部３１がステープル３３で締結されることで、底面部２１の下面２１ｂに取り付けられている。すなわち、整流部材３０は、底面部２１の長さ方向の全体に亘って設けられている。この際、整流部材３０は、スカート部３２が底面部２１から堰６側に突出するように、底面部２１の下面２１ｂに取り付けられている。
【００５１】
また、整流部材３０は、図１１に示すように、例えば、スカート部３２の幅をＷとし、スカート部３２の長さをＬとしたときに、Ｗ＝０．５Ｌとなるように設けられている。更に、整流部材３０は、図１０及び図１１に示すように、スカート部３２の長さをＬとして、樋本体２０の底面部２１の下面２１ｂと揺動テーブル２の上面２ａとの距離をＨとしたときに、０．３Ｈ≦Ｌ≦０．５Ｈとなるように設けられている。
【００５２】
一例としては、整流部材３０は、本体部３１の長さが５０インチで、幅が２．５インチで、スカート部３２の長さＬが０．８インチで、幅Ｗが０．４インチで、本体部３１及びスカート部３２の厚さが共に０．２インチとなるように設けられている。なお、上述した整流部材３０の長さ、幅、厚さ等は一例であって、これに限定されるものではなく、適宜変更可能である。
【００５３】
以上のような構成を有する整流部材３０は、図１０に示すように、スカート部３２が樋本体２０の底面部２１の上面２１ａの堰６側から流れ落ちて揺動テーブル２に供給される水と当接する。これにより、整流部材３０は、当接した水の勢いを弱めると共に、略均等に拡散させることができる。したがって、整流部材３０は、給水樋５に供給する水の量が変化しても、給水樋５から供給される水の量が給水樋５から流出する位置によって偏ることを抑制し、揺動テーブル２の上面２ａの全面に流れを形成させることができる。
【００５４】
なお、整流部材３０は、底面部２１の下面２１ｂに、底面部２１の長さ方向の長さよりも短いものを複数個取り付けて、底面部２１の下面２１ｂの長さ方向の全体に亘って設けるようにしても良い。
【００５５】
また、整流部材３０は、底面部２１の下面２１ｂに、ステープル３３で取り付けられることに限定されるものではなく、接着剤による接着やボルトによるボルト止め等、従来公知の如何なる取付部材及び取付方法で取り付けるようにしても良い。
【００５６】
また、整流部材３０は、ポリ塩化ビニルで形成されることに限定されるものではなく、スカート部３２が可撓性を有し、水の勢いを弱めると共に水を略均等に拡散させることができれば、その他の樹脂材料で形成されるようにしても良い。
【００５７】
また、整流部材３０は、スカート部３２が三角形状に形成されることに限定されるものではなく、スカート部３２が可撓性を有し、水の勢いを弱めると共に水を略均等に拡散させることができれば、矩形状や半円形状等のその他の形状で形成されるようにしても良い。
【００５８】
以上のような構成を有するテーブル比重選鉱機１は、下記のようにして、脈石鉱物や硫化鉱物を含有する金鉱石から金精鉱を回収する。
【００５９】
先ず、テーブル比重選鉱機１は、図２に示すように、揺動テーブル２が揺動駆動機構１１によってリッフル３の伸長方向に揺動される。更に、テーブル比重選鉱機１は、揺動テーブル２の上面２ａに、給鉱樋４から鉱石スラリーが連続的に供給される。
【００６０】
更に、テーブル比重選鉱機１は、図２に示すように、揺動テーブル２の上面２ａに、給水樋５から添加水が連続的に供給される。具体的に、給水樋５は、図３に示すように、給水部２３によって、水を樋本体２０の底面部２１の上面２１ａに長さ方向の一端側から他端側に向けて流す。次いで、給水樋５は、分散部材２４によって、樋本体２０の底面部２１の上面２１ａの前面部２２と分散部材２４との間を流れる水を、底面部２１の長さ方向の全範囲に略均等に分散して堰６側に導いて、略均等に底面部２１の堰６側から揺動テーブル２に向けて流れ落とす。次いで、給水樋５は、図１０に示すように、整流部材３０のスカート部３２が樋本体２０の底面部２１の上面２１ａの堰６側から流れ落ちた水と当接して、水の勢いを弱めると共に略均等に拡散させて、添加水として揺動テーブル２の上面２ａの全面に均等に供給する。
【００６１】
すると、図２に示すように、揺動テーブル２の上面２ａに供給された鉱石スラリーのうち、脈石鉱物や硫化鉱物等の比重の小さな低比重鉱粒は、揺動テーブル２の揺動運動とは無関係に、揺動テーブル２の幅方向に流れる添加水の水流の抵抗を受けて、添加水の水流方向（揺動テーブル２の幅方向）にリッフル３を乗り越えて移動する。そして、低比重鉱粒は、揺動テーブル２の前側面２ｃから脱落して、尾鉱として、揺動テーブル２の前側面２ｃ側に設けられた第１の尾鉱回収貯槽８に添加水と共に回収される。
【００６２】
その一方で、比重の大きな高比重鉱粒は、揺動テーブル２の揺動運動に伴って、リッフル３に沿って伸長方向に移動する。そして、高比重鉱粒は、例えば、リッフル３の中流リッフル３ａ２の最上段のリッフルの先端部等から平坦部１２に流れ出る。
【００６３】
ここで、平坦部１２を流れる高比重鉱粒は、同じ比重の鉱粒であっても、粒径が大きなものは給水樋５からの添加水により添加水の水流方向に移動する傾向が強い。したがって、平坦部１２には、高比重で粒径の小さな金品位の高い鉱粒の流れ（金線）４０ａと、高比重で粒径の大きな鉱粒の流れ（尾鉱層）４０ｂとが形成される。
【００６４】
次いで、テーブル比重選鉱機１は、例えば揺動テーブル２の左側面２ｆに沿って移動可能に設けられた板状の仕切り板７によって、金線４０ａと尾鉱層４０ｂとを分離させる。次いで、テーブル比重選鉱機１は、金線４０ａが揺動テーブル２の左側面２ｆ側に設けられた精鉱回収貯槽１０に添加水と共に回収される。更に、テーブル比重選鉱機１は、尾鉱層４０ｂが揺動テーブル２の左側面２ｆ側に設けられた第２の尾鉱回収貯槽９に添加水と共に回収される。
【００６５】
以上のようにして、テーブル比重選鉱機１は、脈石鉱物や硫化鉱物を含有する金鉱石から金精鉱を回収する。
【００６６】
以上のように、給水樋５は、樋本体２０の底面部２１の下面２１ｂに取り付けられた整流部材３０が樋本体２０の底面部２１の上面２１ａから流れ落ちて揺動テーブル２に供給される水と当接することで、水が略均等に拡散されて場所ごとの流量が平均化される。したがって、給水樋５は、整流部材３０により、選鉱操業中に、揺動テーブル２の上面２ａの鉱石スラリーと添加水との流量の偏りを抑制することができ、揺動テーブル２の上面２ａの全面に流れを形成させることができる。
【００６７】
また、給水樋５は、整流部材３０が樋本体２０の底面部２１の上面２１ａから流れ落ちて揺動テーブル２に供給される水と当接することで、水の流れが弱められるので、供給水の量を増加させても、流出する水の量が流出する位置によって偏ることを抑制することができ、揺動テーブル２の上面２ａの全面に流れを形成させることができる。
【００６８】
更に、給水樋５は、整流部材３０により、揺動テーブル２の上面２ａの鉱石スラリーと添加水との流量の偏りを抑制することができるので、金線が乱れることを低減することができ、効率よく選鉱操業を実施することができる。
【００６９】
また、給水樋５は、樋本体２０の底面部２１の上面２１ａに、給水部２３から底面部２１の上面２１ａに供給された水を均等に分散させて底面部２１の堰６側から均等に流れ落とす分散部材２４が設けられている。したがって、給水樋５は、分散部材２４により、給水部２３によって底面部２１の上面２１ａの分散部材２４と前面部２２との間に流された水を、底面部２１の長さ方向の全範囲に均等に分散して底面部２１の堰６側から均等に流れ落とすことができる。よって、給水樋５は、選鉱操業中に、揺動テーブル２の上面２ａの鉱石スラリーと添加水との流量の偏りをより確実に抑制することができ、揺動テーブル２の上面２ａの全面に流れをより確実に形成させることができる。
【００７０】
また、給水樋５は、樋本体２０の底面部２１の上面２１ａの長さ方向の他端に、給水部２３から底面部２１の上面２１ａに供給された水を外部に排出する排水部２５が設けられている。したがって、給水樋５は、排水部２５により、底面部２１の上面２１ａを長さ方向の一端側から他端側に流れて左側面部２６にぶつかった水を、排水口２６ａを介して排水ホース２７から外部に速やかに排出することができ、この水が左側面部２６を乗り越えて外部にあふれることを防止することができる。更に、給水樋５は、排水部２５により、底面部２１の上面２１ａを流れる水が左側面部２６にぶつかって長さ方向の一端側に戻ることを防止することができる。更に、給水樋５は、排水部２５により、水が左側面部２６にぶつかって長さ方向の一端側に戻った際に、長さ方向の他端側に流れてきた新たな水とぶつかって、水が堰６側から大量に流れ落ちることを防止することができ、さらに、水が前面部２２を乗り越えて外部にあふれることを防止することができる。よって、給水樋５は、排水部２５により、選鉱操業中に、揺動テーブル２の上面２ａの鉱石スラリーと添加水との流量の偏りをより確実に抑制することができ、あふれた水によって揺動テーブル２の上面２ａの平坦部１２を流れる金線が乱されることを防止することができる。
【００７１】
また、給水樋５は、樋本体２０に、任意の位置に給水を追加することが可能な可動式の補助給水部２８が設けられている。したがって、給水樋５は、補助給水部２８により、底面部２１の長さ方向の任意の位置に水を供給することができ、底面部２１の上面２１ａを流れる水の流量をより細かく調整することができる。よって、給水樋５は、補助給水部２８により、流れの偏りをより確実に低減することができ、底面部２１の上面２１ａを流れる水が堰６側からより均等に流れ落ちるようにすることができる。
【００７２】
更に、給水樋５は、補助給水部２８により、底面部２１の長さ方向の任意の位置に配置させて水を供給することができるので、意図的に、部分的に給水量を増加させることができる。したがって、給水樋５は、補助給水部２８により、例えば、様々な不具合によって揺動テーブル２の上面２ａに島状等に滞留してしまった鉱粒に対して、意図的に、部分的に増加させた添加水を流して滞留を解消することができる。よって、給水樋５は、補助給水部２８により、不具合解消のための時間と手間とを短縮することができ、稼働時間を増加させることができる。
【００７３】
なお、給水樋５は、樋本体２０及び給水部２３が木製であることに限定されるものではなく、金属製や樹脂製であっても良い。
【００７４】
また、給水樋５は、整流部材３０が樹脂製の板部材で構成されることに限定されるものではなく、例えば、整流部材３０が紐やチェーンや網等で構成されるようにしても良い。樋本体２０の底面部２１の上面２１ａから流れ落ちて揺動テーブル２に供給される水は、樋本体２０の底面部２１の下面２１ｂに取り付けられた紐やチェーンや網に当接すると、略均等に拡散されて場所ごとの流量が平均化され、さらに、流れが弱められる。したがって、給水樋５は、紐やチェーンや網等で構成される整流部材３０であっても、選鉱操業中に、揺動テーブル２の上面２ａの鉱石スラリーと添加水との流量の偏りを抑制することができ、揺動テーブル２の上面２ａの全面に流れを形成させることができる。
【００７５】
また、テーブル比重選鉱機１は、金鉱石から金精鉱を得ることに限定されるものではなく、その他の鉱石から精鉱を得るようにしても良い。
【実施例】
【００７６】
次に、テーブル比重選鉱機により金鉱石から金精鉱を回収する際に、揺動テーブルに、添加水の流れの無い部分の有無を確認した。なお、本発明は下記の実施例に限定されるものではない。
【００７７】
［実施例１］
実施例１では、本発明の給水樋を備えたテーブル比重選鉱機を使用し、下記操業条件において、金鉱石から金精鉱を回収した際に、揺動テーブルの上面を流れる添加水の流れを確認した。
【００７８】
＜操業条件＞
使用したテーブル比重選鉱機：Diester社製
テーブル比重選鉱機の搖動  ：回数  １５０回／分
幅    ２．５４ｃｍ
処理した鉱石スラリー固形分：重量２０〜４０％
液性：中性（水と鉱石のスラリー）
鉱石スラリーの処理量      ：１５５ｋｇ／時間
供給水量                  ：４００ｋｇ／時間
揺動テーブル上の水量確認  ：目視により水流の有無を確認した。
【００７９】
その結果、実施例１では、揺動テーブルの上面の全面に亘って水流が存在し、流れの無い部分は発見できなかった。
【００８０】
［比較例１］
比較例１では、本発明の給水樋を使用せず、従来の整流部材がない給水樋を備えたテーブル比重選鉱機を使用し、上記実施例１と同様に、上記操業条件において、金鉱石から金精鉱を回収した際に、揺動テーブルの上面を流れる添加水の流れを確認した。
【００８１】
その結果、比較例１では、揺動テーブル面の上面の一部に流れの無い部分が発見できた。
【符号の説明】
【００８２】
１  テーブル比重選鉱機、２  揺動テーブル、２ａ  上面、２ｂ  下面、２ｃ  前側面、２ｄ  後側面、２ｅ  右側面、２ｆ  左側面、３  リッフル、３ａ１  上流リッフル、３ａ２  中流リッフル、３ａ３  下流リッフル、４  給鉱樋、５  給水樋、５ａ  取付部材、６  堰、７  仕切り板、８  第１の尾鉱回収貯槽、９  第２の尾鉱回収貯槽、１０  精鉱回収貯槽、１１  揺動駆動機構、１２  平坦部、２０  樋本体、２１  底面部、２１ａ  上面、２１ｂ  下面、２２  前面部、２３  給水部、２３ａ  給水ホース、２３ｂ  開口部、２４  分散部材、２５  排水部、２６  左側面部、２６ａ  排水口、２７  排水ホース、２８  補助給水部、２８ａ  補助給水ホース、３０  整流部材、３１  本体部、３２  スカート部、３３  ステープル、４０ａ  金線、４０ｂ  尾鉱層、  １０２  揺動テーブル、１０２ｃ  前側面、１０３  リッフル、１０４  給鉱樋、１０５  給水樋、１０７  仕切り板、１０８  第１の尾鉱回収貯槽、１０９  第２の尾鉱回収貯槽、１１０  精鉱回収貯槽、１１１  揺動駆動機構、１１２  平坦部
【図１】
2016068073.tif 000003
【図２】
2016068073.tif 000004
【図３】
2016068073.tif 000005
【図４】
2016068073.tif 000006
【図５】
2016068073.tif 000007
【図６】
2016068073.tif 000008
【図７】
2016068073.tif 000009
【図８】
2016068073.tif 000010
【図９】
2016068073.tif 000011
【図１０】
2016068073.tif 000012
【図１１】
2016068073.tif 000013
【図１２】
2016068073.tif 000014